(57)【要約】【課題】誰でも簡単に電子メールプリントを利用して、データを印刷できるように、電子メールプリントの案内をする。【解決手段】処理装置１００からクライアント装置１１０に、案内用電子メールを送信する。案内用弟子メールのメッセージ本文には、電子メールプリントを説明するための説明文と、印刷条件を指定するためのコマンドのサンプルとが記載される。この電子メールの送信元は、処理装置１００のメールアドレスとなる。クライアント装置１１０は、受信した電子メールのコマンドを希望する印刷条件に応じて修正して、電子メールを作成し、データを添付して、処理装置１００に返信する。処理装置１００は、受信したコマンドにしたがって添付されたデータを印刷する。【選択図】図５
2007133817.tif 000002
【特許請求の範囲】
【請求項１】
データの処理を依頼する依頼装置と、データの処理を行う処理装置とがネットワークを通じて接続され、依頼装置は、依頼内容を含む依頼メッセージおよびデータを処理装置に送信し、処理装置は、依頼メッセージの依頼内容にしたがって受信したデータの処理を行うデータ処理システムであって、依頼装置に対して、依頼メッセージとして利用可能な案内メッセージを送信する案内手段を備えたことを特徴とするデータ処理システム。
【請求項２】
案内メッセージは、依頼内容のサンプルおよび処理装置のアドレスを含むことを特徴とする請求項１記載のデータ処理システム。
【請求項３】
処理装置が案内手段を有し、案内メッセージの送信元が処理装置のアドレスであることを特徴とする請求項１または２記載のデータ処理システム。
【請求項４】
処理装置を管理する管理装置がネットワークに接続され、処理装置は、管理装置からの指令によって案内メッセージを送信することを特徴とする請求項３記載のデータ処理システム。
【請求項５】
処理装置を管理する管理装置がネットワークに接続され、管理装置が案内手段を有し、案内メッセージの返信先が処理装置のアドレスであることを特徴とする請求項１または２記載のデータ処理システム。
【請求項６】
新しい依頼装置が登録されたとき、あるいは処理装置が交換されたときに、案内メッセージが送信されることを特徴とする請求項１〜５のいずれかに記載のデータ処理システム。
【請求項７】
依頼装置は、案内メッセージを利用して依頼メッセージを作成し、処理装置に返信し、データの処理を依頼することを特徴とする請求項６記載のデータ処理システム。
【請求項８】
各メッセージの送信は、電子メールを利用したことを特徴とする請求項７記載のデータ処理システム。
【発明の詳細な説明】
【技術分野】
【０００１】
本発明は、ネットワークを通じてメッセージを送信して、添付されたデータの印刷等の処理を行うデータ処理システムに関する。
【背景技術】
【０００２】
通常、ネットワークを利用したデータ処理システムでは、プリンタや多機能周辺機器（ＭＦＰ）といった処理装置がネットワークに接続され、パーソナルコンピュータ等のクライアント装置から出力されたデータが処理装置によって印刷される。
【０００３】
このようなデータ処理システムにおいて、例えば特許文献１に記載されているように、ユーザのクライアント装置からデータを添付した電子メールを処理装置に送信して、印刷することが行われている。
【特許文献１】特開２００３−１６７６９４号公報
【発明の開示】
【発明が解決しようとする課題】
【０００４】
ところで、電子メールを利用した印刷において、印刷条件を指定するために、電子メールのメッセージ本文に、所定のコマンドが記載される。電子メールを受信した処理装置は、メッセージ本文のコマンドを読み取って、印刷条件を設定して印刷を行う。
【０００５】
このコマンドは、プログラム言語のようなものであり、コマンド名と設定値とから構成される。それぞれのコマンド名は、部数、両面、後処理等の機能を表す。そのため、一般のユーザは、コマンド名の内容を理解しておかなければならず、しかも入力する設定値の記述方法についても知らなければならない。したがって、一般のユーザがコマンドを使いこなすのは非常に困難である。
【０００６】
本発明は、上記に鑑み、誰でも簡単にメッセージを作成して、処理の依頼を行えるデータ処理システムの提供を目的とする。
【課題を解決するための手段】
【０００７】
本発明は、データの処理を依頼する依頼装置と、データの処理を行う処理装置とがネットワークを通じて接続され、依頼装置は、依頼内容を含む依頼メッセージおよびデータを処理装置に送信し、処理装置は、依頼メッセージの依頼内容にしたがって受信したデータの処理を行うデータ処理システムであって、依頼装置に対して、依頼メッセージとして利用可能な案内メッセージを送信する案内手段を備えたものである。これらのメッセージは、電子メールのようなネットワークを通じてデータ通信できるものであればよい。
【０００８】
案内メッセージは、依頼メッセージとして利用可能な形態とされる。この案内メッセージを受信した処理装置は、案内メッセージに修正を加えるだけで依頼メッセージを簡単に作成することができる。依頼するデータは、依頼メッセージに添付する、依頼メッセージ中に含める、依頼メッセージにデータの保存先のリンク情報を含めるといったいずれかの方式によって、送信される。
【０００９】
利用可能とするためには、案内メッセージは、依頼内容のサンプルおよび処理装置のアドレスを含む。したがって、案内メッセージに対して返信すれば、自動的に処理装置に依頼メッセージを送信できる。また、依頼内容のサンプルを利用することにより、ユーザが希望する処理を容易に指定することができ、データの処理を依頼しやすくなる。
【００１０】
処理装置が案内手段を有する。案内メッセージの送信元が処理装置のアドレスとなる。すなわち、処理装置が、依頼装置に直接案内メッセージを送信する。あるいは、処理装置を管理する管理装置がネットワークに接続され、処理装置は、管理装置からの指令によって案内メッセージを送信する。前者の場合、処理装置は、依頼装置のアドレスを登録している。したがって、登録された依頼装置に案内メッセージを送信できる。後者の場合、処理装置が依頼装置のアドレスを登録していないときに有用である。管理装置が、依頼装置のアドレスを登録しているので、処理装置は、管理装置から依頼装置のアドレスを入手して、依頼装置に案内メッセージを送信できる。
【００１１】
処理装置に代わって、管理装置が案内手段を有してもよい。案内メッセージの返信先が処理装置のアドレスとなる。管理装置が管理している依頼装置に対して、管理装置は、案内メッセージを送信する。あるいは、管理装置が、処理装置から依頼装置のアドレスを入手して、該当する依頼装置に案内メッセージを送信する。この案内メッセージを受信した依頼装置は、処理装置の対して依頼メッセージを返信する。したがって、管理装置は、任意の時期に案内メッセージを送信できる。例えば、新しいクライアント装置が登録されたとき、あるいは処理装置が交換されたときである。
【発明の効果】
【００１２】
本発明によると、依頼メッセージとして利用可能な案内メッセージを送信することにより、案内メッセージを参照して簡単に依頼メッセージを作成できる。したがって、電子メール等のメッセージを利用したデータ処理の依頼を容易に行うことができる。特に、依頼装置が処理装置から遠く離れた場所にある場合に、案内メッセージを利用すれば、必要なデータ処理を簡単に依頼することができる。
【発明を実施するための最良の形態】
【００１３】
本実施形態のデータ処理システムを図１に示す。本データ処理システムは、入力されたデータを処理する処理装置１００、データの処理を依頼する依頼装置であるクライアント装置１１０、処理装置１００を含めてシステム全体を管理する管理装置１２０から構成され、これらがネットワークで接続されている。処理装置１００は、多機能周辺機器とされ、コピーモード、プリンタモード、スキャナモードおよびファクシミリモードを有するデジタル複合機が用いられる。ユーザが使用するクライアント装置１１０には、パーソナルコンピュータ、携帯情報端末等の情報処理装置が用いられる。管理装置１２０には、管理者が使用するパーソナルコンピュータ等の情報処理装置が用いられる。ネットワークは、ＬＡＮ、ＷＡＮ等のイントラネットおよびインターネットを含むものである。
【００１４】
処理装置１００、クライアント装置１１０および管理装置１２０は、それぞれブラウザおよびメールソフトを搭載しており、それぞれのＩＰアドレスおよびメールアドレスを持っている。各装置は、ネットワークを通じて電子メールの送受信を行える。
【００１５】
処理装置１００である複合機は、図２に示すように、原稿を読み取って画像データを入力する画像読み取り部１と、ユーザの入力を受け付ける操作部２と、入力された画像データの印刷を行う画像形成部３と、画像データを保存するハードディスク装置４と、外部機器とのデータ通信を行う通信部５と、ファクシミリ装置６と通信するためのＦＡＸモデム７と、装置全体の制御情報や設定情報等を記憶している管理部８と、装置全体の制御を司る機器制御部９とを備えている。
【００１６】
画像読み取り部１は、画像データを入力するデータ入力手段として機能し、ＣＣＤ１ａといった撮像素子と、原稿台や自動原稿送り装置（ＡＤＦ）にセットされた原稿を検知する原稿検知センサ１ｂとを有する。ＣＣＤ１ａによって読み取られた画像データは画像形成部３に出力される。
【００１７】
操作部２は、各種入力キーからなる入力部２ａと、液晶ディスプレイ等の表示部２ｂとを有し、装置全体の操作や各種設定の入力が行われ、入力内容や装置全体の動作状況が表示される。
【００１８】
画像形成部３は、入力された画像データを記憶するローカルメモリ１０と、レーザ走査ユニットからなる印字部３ａと、給紙部３ｂとを有する。ローカルメモリ１０は、ＳＤＲＡＭ、フラッシュメモリ等の読み書き可能な半導体メモリを用いる。ローカルメモリ１０は、古い画像データに新しい画像データを上書きすることにより、画像データを記憶する。印字部３ａは、ローカルメモリ１０に記憶された画像データに基づいて、給紙部３ｂから供給される記録シートに画像を印刷する。
【００１９】
画像形成部３では、入力された画像データがローカルメモリ１０に記憶される。画像データは、画像処理部１１によって圧縮、伸張、加工等の画像処理が行われ、ローカルメモリ１０に記憶される。画像処理された画像データが印字部３ａ、ハードディスク装置４あるいは機器制御部９に出力される。すなわち、画像形成部３がデータ処理手段として機能する。
【００２０】
ローカルメモリ１０は、入力された画像データを記憶する領域と、出力するための画像データを記憶する領域とに分割されている。なお、１つのローカルメモリ１０を分割して使用する代わりに、２つのローカルメモリ１０を入力用と出力用として、それぞれ使用してもよい。
【００２１】
通信部５は、ＬＡＮケーブルを介してルータ、スイッチングハブ等に接続され、パソコン、サーバ等の情報処理装置によって構成される内部ネットワークと接続され、イントラネットが形成される。イントラネットは、電話回線網や光ファイバ等の通信回線を介してインターネットに接続される。この情報処理装置には、管理装置１２０およびクライアント装置１１０が含まれる。
【００２２】
通信部５は、内部ネットワーク内の管理装置１２０やクライアント装置１１０とデータおよび電子メールの送受信を行うとともに、インターネットを通じて外部のクライアント装置１１０やファクシミリ装置１３とデータや電子メールの送受信を行う。このファクシミリ装置１３は、インターネットを通じてデータ通信する機能を有しており、クライアント装置となる。ＦＡＸモデム７は、電話線を介して電話回線網に接続され、外部のファクシミリ装置６とファクシミリ通信を行う。このように、通信部５やＦＡＸモデム７を通じて画像データが入力されることから、これらもデータ入力手段として機能する。
【００２３】
機器制御部９は、操作部２からの入力やクライアント装置１１０等の外部機器からのデータ入力があると、管理部８に記憶されている情報に基づいて各部を制御して、入力されたデータを処理する。すなわち、入力された画像データに対してコピーモード、プリンタモード、スキャナモード、ファクシミリモードのいずれかを実行して、入力された画像データを所望の形態で出力する。
【００２４】
ハードディスク装置４は、画像データを一時的に保存する記憶手段とされる。暗号化復号化部３ｃによって、ハードディスク装置４に画像データが保存されるとき、画像データは暗号化される。ハードディスク装置４から画像データを読み出すとき、画像データは復号化される。
【００２５】
そして、ハードディスク装置４の画像データを消去する消去手段１４を備えている。消去対象の画像データは、処理作業エリアに記憶されているデータである。機器制御部９が、画像データを処理して出力した後に、消去手段１４の動作を制御する。消去手段１４は、ランダムなデータや無意味なデータを上書きしたり、あるいはデータを消去したりして、記憶されていた画像データを読み取り不可能にして、元の画像を再現できないように無効化する。なお、消去手段１４は、ローカルメモリ１０に対しても、上書きにより古い画像データを消去する、あるいは画像データを消去することによって、画像データを無効化するようにしてもよい。
【００２６】
次に、各モードを実行するときの動作を説明する。まず、コピーモード時には、画像読み取り部１により読み取られた原稿の画像データが、画像形成部３から複写物として出力される。具体的には、読み取り位置にセットされた原稿の画像をＣＣＤ１ａによって読み取る。ＣＣＤ１ａから出力された画像データは、ローカルメモリ１０上に出力画像として完成され、一旦ハードディスク装置４に転送されて保存される。原稿が複数ある場合は、この読み取り、記憶の動作が繰り返される。
【００２７】
その後、操作部２から指示された処理内容に基づいて、ハードディスク装置４に保存された画像データが適切なタイミングで順次読み出され、ローカルメモリ１０に送られる。そして、印字部３ａへの書き込みタイミングに合わせて、画像データがローカルメモリ１０から印字部３ａへと転送され、画像が記録シートに印刷される。
【００２８】
また、読み取った画像データを複数枚印刷する場合も同様に、画像データが出力画像としてページ単位でハードディスク装置４へ記憶され、出力するモードに合わせてハードディスク装置４からローカルメモリ１０に送られる。ローカルメモリ１０の画像データは、出力枚数の分だけ繰り返し、印字部３ａへの書き込みタイミングに合わせて印字部３ａへ転送される。
【００２９】
プリンタモード時には、情報処理装置であるクライアント装置１１０や管理装置１２０から出力された画像データが、画像形成部３から出力される。すなわち、情報処理装置からの画像データが、通信部５により受信される。機器制御部９は、入力された画像データをローカルメモリ１０に送り、出力する画像データとしてページ単位に展開し、一旦ハードディスク装置４に保存する。そして、画像データは、ハードディスク装置４からローカルメモリ１０に送られ、コピーモードの場合と同様にして印字部３ａへと転送され、画像が印刷される。
【００３０】
スキャナモード時には、画像読み取り部１において読み取られた原稿の画像データが、内部ネットワークを通じて任意の情報処理装置にデータ通信される。すなわち、ＣＣＤ１ａから出力された画像データは、ローカルメモリ１０上に出力画像として完成され、一旦ハードディスク装置４へ保存される。そして、画像データがハードディスク装置４からローカルメモリ１０に送られ、機器制御部９は、操作部２を介して指示された内部ネットワーク内の情報処理装置との通信を確立させ、通信部５から目的の情報処理装置に画像データを送信する。さらに、画像データは、通信部５によりネットワークからインターネットを通じて、外部の情報処理装置やファクシミリ装置１３にも送信される。また、機器制御部９は、ファクシミリモード時にも同様の動作によって、ＦＡＸモデム７から電話回線６を通じてファクシミリ装置６に画像データを送信する。
【００３１】
上記のようにデータ入力手段から入力された画像データの処理に際して、画像データはローカルメモリ１０に一時的に記憶される。画像データを処理して出力が完了したとき、消去手段１４がハードディスク装置４から画像データを消去する。
【００３２】
上記の処理装置１００は、電子メールに添付されたデータを印刷する電子メールプリントモードを有する。電子メールプリントモードでは、処理装置１００が、メールサーバに電子メールを確認し、受信した依頼用電子メールに添付されているデータを印刷する。クライアント装置１１０は、処理装置１００を宛先とし、印刷したいデータを添付した依頼用電子メールを作成し、送信する。
【００３３】
図３に示すように、依頼用電子メールのメッセージ本文には、依頼内容を示す所定のコマンドが記載されている。コマンドは、印刷するために必要な機能を表すコマンド名と、各機能の要否や指定値を表す設定値とからなる。件名には、例えば「Ｅ−ｍａｉｌ  ｄｉｒｅｃｔ  ｐｒｉｎｔ」といったような電子メールプリントモードの実行を表す指令キーワードが記載される。なお、メッセージ本文はテキスト形式とされる。添付するデータは、ＰＤＦ、ＪＰＧ等のファイルの画像データとされる。
【００３４】
処理装置１００の機器制御部９は、電子メールを受信したとき、依頼用電子メールを選別する。すなわち、機器制御部９は、件名が上記の指令キーワードであるとき、依頼用電子メールと判断する。あるいは、添付ファイルの拡張子が予め指定されたものであるとき、依頼用電子メールと判断する。また、受信した電子メールの送信元が、予め登録されているメールアドレスであれば、クライアント装置１１０からの依頼用電子メールであると判断してもよい。
【００３５】
そして、機器制御部９は、依頼用電子メールのメッセージ本文からコマンドを読み取って、印刷条件を設定し、印刷条件にしたがってプリンタモードを実行する。このようにして、受信した画像データが印刷される。なお、メッセージ本文に、何も記載されていない場合、機器制御部９は、標準の印刷条件で画像データを印刷する。
【００３６】
ところで、処理装置１００は、クライアント装置１１０に対して電子メールプリントを案内するための案内用電子メールを送信する案内機能を有する。すなわち、図４に示すように、処理装置１００の機器制御部９は、クライアント装置１１０のメールアドレスを宛先とする案内用電子メールを作成し、ネットワークを通じて送信する。
【００３７】
図５に示すように、案内用電子メールにおいて、件名は指令キーワードとされる。メッセージ本文には、電子メールプリントを説明するための説明文と、コマンドのサンプルとが記載される。この電子メールの送信元は、処理装置１００のメールアドレスとなる。この案内用電子メールに、電子メールプリントのマニュアルを添付してもよい。
【００３８】
案内用電子メールを受信したクライアント装置１１０は、この印刷を利用したい場合、図６に示すように、案内用電子メールに対する返信として、印刷したデータを添付した依頼用電子メールを作成して送信する。処理装置１００が、この依頼用電子メールを受信すると、添付されたデータを指定された印刷条件にしたがって印刷する。
【００３９】
図３に示したものと同様、依頼用電子メールでは、宛先は処理装置１００のメールアドレス、件名は指令キーワードである。メッセージ本文には、コマンドが記載される。このコマンドは、案内用電子メールに記載されているコマンドのサンプルをユーザが修正したものである。
【００４０】
案内用電子メールの送信は、管理者による処理装置１００の操作部２からの入力によって行われる、あるいは管理装置１２０から処理装置１００への指令に基づいて行われる。案内の送信先は、処理装置１００に登録されているクライアント装置１１０のメールアドレスの全部あるいは一部とされる。
【００４１】
管理装置１２０からの指令により案内用電子メールを送信する場合、管理装置１２０が送信先を指定してもよい。管理装置１２０は、クライアント装置１１０のメールアドレスを記憶しており、指定したメールアドレスの情報を処理装置１００に送信する。処理装置１００は、指定されたクライアント装置１１０への案内用電子メールを作成して、送信する。
【００４２】
他の形態の電子メールプリントモードの案内として、管理装置１２０が、上記の案内機能を有する。すなわち、図７に示すように、管理装置１２０は、クライアント装置１１０のメールアドレスを宛先とする案内用電子メールを作成し、ネットワークを通じて送信する。案内用電子メールは、図５に示すものとおなじであるが、送信元は管理装置１２０のメールアドレスであり、返信先が処理装置１００のメールアドレスとされる。なお、管理装置１２０は、案内用電子メールを作成するが、コマンドに関する情報を持っていない場合、処理装置１００がコマンドに関する情報を提供して、管理装置１２０がこれに基づいてメッセージ本文を作成する。
【００４３】
案内用電子メールを受信したクライアント装置１１０は、この印刷を利用したい場合、図８に示すように、案内用電子メールの返信先に、印刷したデータを添付した依頼用電子メールを作成して送信する。処理装置１００が、この依頼用電子メールを受信すると、添付されたデータを指定された印刷条件にしたがって印刷する。
【００４４】
管理装置１２０がクライアント装置１１０のメールアドレスを管理している場合、管理装置１２０から案内用電子メールを送信する。例えば、新しくネットワークが形成され、新規にデータ処理システムを立ち上げる場合、管理装置１２０は、クライアント装置１１０および処理装置１００のＩＰアドレスやメールアドレスを登録して、管理する。このとき、管理装置１２０は、全部のクライアント装置１１０に案内用電子メールを送信する。あるいは、ネットワークに新たなクライアント装置１１０が接続されたとき、管理装置１２０は、このクライアント装置１１０に案内用電子メールを送信する。また、新しい処理装置１００に交換されたときや処理装置１００が追加されたとき、管理装置１２０は、全部のクライアント装置１１０に案内用電子メールを送信する。
【００４５】
ここで、処理装置１００からの要求によって、管理装置１２０が案内用電子メールを送信してもよい。処理装置１００は、登録しているクライアント装置１００のうち、全部あるいは一部のメールアドレスを管理装置１２０に送信する。管理装置１２０は、入手したメールアドレスに基づいて、案内用電子メールを作成して、指定されたクライアント装置１１０に送信する。このようにすれば、処理装置１００は、案内用電子メールを処理する手間を省け、本来の処理にかかわるデータ通信をスムースに行える。
【００４６】
以上のように、処理装置１００あるいは管理装置１２０から案内用電子メールを受信したクライアント装置１１０は、印刷を依頼する処理装置１００として、案内用電子メールから取得した処理装置１００のメールアドレスを登録することができる。したがって、クライアント装置１１０に処理装置１００のメールアドレスを設定する手間を省ける。
【００４７】
しかも、案内用電子メールには、コマンドのサンプルが含まれているので、クライアント装置１１０は、これを参照してコマンドを容易に作成できる。したがって、希望する印刷条件の設定が容易となり、簡単に印刷を依頼することができる。また、コマンドのサンプルを保存しておけば、これを利用して次回から簡単に依頼用電子メールを作成することができる。
【００４８】
なお、本発明は、上記実施形態に限定されるものではなく、本発明の範囲内で上記実施形態に多くの修正および変更を加え得ることは勿論である。処理装置として、コピーモードおよびファクシミリモードを有する複合機であってもよく、さらにはコピー機、プリンタ、ファクシミリ装置といったように単一のモードだけの専用機であってもよい。クライアント装置として、データ通信可能な携帯電話、携帯情報端末であってもよく、インターネットを通じて処理装置と通信を行う。
【００４９】
クライアント装置から依頼する処理として、印刷以外にファクシミリ通信としてもよく、依頼用電子メールのメッセージ本文に、依頼内容として宛先のファクシミリ番号を記載する。さらには、データをハードディスク装置に保存しておく処理であってもよい。また、処理装置が処理するデータとして、画像データに限らず、ワープロソフトや表計算ソフトによって作成された文書データであってもよい。処理装置は、文書データを扱うことができるアプリケーションソフトを搭載しており、文書データの印刷を行える。
【００５０】
また、イントラネット内では、電子メールを利用する代わりに、ＴＣＰ／ＩＰプロトコルを利用した通信ツールによって、メッセージおよびデータを送受信する。このとき、メールアドレスの代わりにＩＰアドレスを用いて、処理装置あるいは管理装置からクライアント装置に案内メッセージを送信する。そして、クライアント装置から処理装置に依頼メッセージを送信する。処理されるデータは、メッセージに添付される、あるいは直接データ通信される。
【００５１】
処理するデータは、電子メールあるいはメッセージに添付しているが、これに代わって、メッセージ本文中にデータの保存先をリンク情報として記載する。処理装置は、リンク情報に基づいて保存先にアクセスして、データを受信する。すなわち、データの保存先が、依頼したクライアント装置とは異なり、ネットワーク内の他のクライアント装置やデータベースに処理するデータが保存されている場合に、データの保存先を知らせればよい。この方式は、クライアント装置として、携帯電話や携帯情報端末のような大容量のデータを保有できない外部機器の場合に好適である。
【図面の簡単な説明】
【００５２】
【図１】本発明のデータ処理システムの概略構成を示す図
【図２】処理装置である複合機の概略構成を示す図
【図３】依頼用電子メールを示す図
【図４】案内用電子メールの流れを示す図
【図５】案内用電子メールを示す図
【図６】依頼用電子メールの流れを示す図
【図７】他の形態の案内用電子メールの流れを示す図
【図８】他の形態の依頼用電子メールの流れを示す図
【符号の説明】
【００５３】
１    画像読み取り部
２    操作部
３    画像形成部
４    ハードディスク装置
５    通信部
９    機器制御部
１００    処理装置
１１０    クライアント装置
１２０    管理装置
【図１】
2007133817.tif 000003
【図２】
2007133817.tif 000004
【図３】
2007133817.tif 000005
【図４】
2007133817.tif 000006
【図５】
2007133817.tif 000007
【図６】
2007133817.tif 000008
【図７】
2007133817.tif 000009
【図８】
2007133817.tif 000010